(57)【要約】【課題】検出制御装置の非接地側電線が、電源側端子または負荷側端子のいずれかに接続されているかを地上から視認することを可能にする端子収容蓋を提供する。【解決手段】端子収容蓋１は、配電線から給電される電気を降圧して検出制御装置へ給電する両電源変圧器の端子収容部を覆うための蓋である。端子収容部は、一対の電源側端子及び負荷側端子を収容し、一対の赤色非接地側電線及び黒色非接地側電線が、それぞれいずれかの端子に接続されている。この端子収容蓋１は、蓋本体部２と、赤色非接地側電線が、電源側端子または負荷側端子のいずれかに接続されているかを表示する表示部３とを備えている。【選択図】  図１
2018179867.tif 000002
【特許請求の範囲】
【請求項１】
配電線の電気を入切する開閉器部と、前記開閉器部の入切を制御する検出制御装置との間に接続され、前記配電線から給電される電気を降圧して前記検出制御装置へ給電する両電源変圧器に配設され、前記配電線の電源側端子と、前記配電線の負荷側端子とが並列に収容されている端子収容部を覆う端子収容蓋であって、
平板状の蓋本体部と、
前記蓋本体部の外側表面に配設され、前記検出制御装置に接続されている所定の非接地側電線が前記電源側端子または前記負荷側端子のいずれかに接続されているかを表示する表示部と、
を備えたことを特徴とする端子収容蓋。
【請求項２】
前記蓋本体部は鋼材で構成され、前記端子収容部を視認可能な窓部が設けられ、
前記表示部は、前記窓部を開閉自在に配設されている、
ことを特徴とする請求項１に記載の端子収容蓋。
【請求項３】
前記蓋本体部は、前記端子収容部を視認可能な透明に構成されている、
ことを特徴とする請求項１に記載の端子収容蓋。
【請求項４】
前記表示部は、前記電源側端子及び前記負荷側端子の位置に対応して２つの挿入部が設けられ、前記所定の非接地側電線が接続されている前記電源側端子または前記負荷側端子の位置に対応する前記２つの挿入部のいずれか１つに所定の色に着色された表示板が挿入される、
ことを特徴とする請求項１ないし３のいずれか１項に記載の端子収容蓋。
【請求項５】
前記表示部は、前記電源側端子及び前記負荷側端子の位置に対応してスライド可能な表示物が配設され、前記所定の非接地側電線が接続されている前記電源側端子または前記負荷側端子の位置に対応してスライドされる、
ことを特徴とする請求項１ないし３のいずれか１項に記載の端子収容蓋。
【請求項６】
前記蓋本体部は、前記端子収容部を覆うときの位置を上下反転可能に構成され、
前記表示部は、前記電源側端子または前記負荷側端子のいずれか一方の方向を示すように固定され、前記蓋本体部を上下反転することにより、前記所定の非接地側電線が接続されている前記電源側端子または前記負荷側端子の位置を示す、
ことを特徴とする請求項１ないし３のいずれか１項に記載の端子収容蓋。
【発明の詳細な説明】
【技術分野】
【０００１】
この発明は、両電源変圧器の電源側端子及び負荷側端子を収容する端子収容部を覆う端子収容蓋に関する。
【背景技術】
【０００２】
高圧配電線が事故等により停電した場合に備えて、高圧配電線には、故障区間検出開閉装置（ＤＭ）が設けられている。このＤＭは、配電線の電気を入切する開閉器部と、開閉器部の入切を制御する検出制御装置とを備えている。また、この開閉器部と検出制御装置との間には、配電線から給電される電気を降圧して検出制御装置へ給電する両電源変圧器が設けられている。
【０００３】
この検出制御装置は、一対のＡ端子及びＤ端子を備え、Ａ端子には赤色の非接地側電線が接続され、Ｄ端子には黒色の非接地側電線が接続されている。赤色の非接地側電線は、配電線の電源側に接続され、黒色の非接地側電線は、配電線の負荷側に接続される。そして、両電源変圧器には、配電線の電源側端子と、配電線の負荷側端子が設けられ、この２つの端子に赤色の非接地側電線及び黒色の非接地側電線を接続するようになっている。
【０００４】
図５は、従来例の両電源変圧器１００の例を示す斜視図である。この両電源変圧器１００は、主として鉄芯やコイル等を収容する筐体１１０と、筐体１１０を覆う筐体蓋１２０とを備え、筐体蓋１２０が筐体１１０の上部に載置されて筐体蓋固定具１２１によって動かないように固定されている。筐体１１０の側面には、円筒状に形成された端子収容部１１１が設けられ、端子固定具１１２と、電源側端子１１３ａと、接地端子１１３ｂと、負荷側端子１１３ｃとを収容している。この電源側端子１１３ａ、接地端子１１３ｂ、及び負荷側端子１１３ｃには、赤色に着色された赤色非接地側電線１１４ａ、白色に着色された接地側電線１１４ｂ、及び黒色に着色された黒色非接地側電線１１４ｃがそれぞれ接続されている。赤色非接地側電線１１４ａ、接地側電線１１４ｂ、及び黒色非接地側電線１１４ｃは、１本のハーネス１１５に束ねられて検出制御装置に接続されている。
【０００５】
この端子収容部１１１を覆うために、鋼材により形成されている端子収容蓋１３０が設けられている。この端子収容蓋１３０は、円筒形の端子収容部１１１を覆うことが可能な大きさの円盤状に形成され、ボルト留めにより覆うためのボルト孔１３１ａ，１３１ｂ，１３１ｃが端子収容蓋１３０の円弧に沿って略等間隔に設けられている。この端子収容蓋１３０は、通常、端子収容部１１１を覆っている。
【０００６】
ところで、電源側端子１１３ａ及び負荷側端子１１３ｃと、赤色非接地側電線１１４ａ及び黒色非接地側電線１１４ｃとの接続状態は、配電線の系統変更により変更される場合がある。しかしながら、端子収容蓋１３０は鋼材により形成されているため、端子収容蓋１３０によって覆われた状態では端子収容部１１１の内部を視認することはできない。そのため、例えば、検出制御装置に対する配線の電源方向を通知する電源方向通知装置が知られている（例えば、特許文献１参照。）。この装置は、３つの電極クリップを備え、検出制御装置のＡ端子、Ｄ端子、及びＢ端子に接続され、所定の電流を検知した場合にＬＥＤに電流が流れて発光するように構成したものである。
【先行技術文献】
【特許文献】
【０００７】
【特許文献１】特開２００９−２８４６７７号公報
【発明の概要】
【発明が解決しようとする課題】
【０００８】
ところで、上記のような電源方向通知装置は、検出制御装置に接続するために新たに電柱の中間程度の位置に設置する必要があり、接続状態を確認するためにはその都度作業者が電柱に登る必要があり、業務効率が良くないものであった。また、このような装置は故障のおそれがあるため、メンテナンスの必要が生じていた。
【０００９】
そこでこの発明は、検出制御装置の非接地側電線が、両電源変圧器の電源側端子または負荷側端子のいずれかに接続されているかを地上から視認することを可能にする端子収容蓋を提供することを目的とする。
【課題を解決するための手段】
【００１０】
上記課題を解決するために、請求項１の発明は、配電線の電気を入切する開閉器部と、前記開閉器部の入切を制御する検出制御装置との間に接続され、前記配電線から給電される電気を降圧して前記検出制御装置へ給電する両電源変圧器に配設され、前記配電線の電源側端子と、前記配電線の負荷側端子とが並列に収容されている端子収容部を覆う端子収容蓋であって、平板状の蓋本体部と、前記蓋本体部の外側表面に配設され、前記検出制御装置に接続されている所定の非接地側電線が前記電源側端子または前記負荷側端子のいずれかに接続されているかを表示する表示部と、を備えたことを特徴とする。
【００１１】
この発明では、端子収容蓋には、蓋本体部の外側表面に表示部が配設され、検出制御装置に接続されている所定の非接地側電線が、電源側端子または負荷側端子のいずれかに接続されているかを表示する。
【００１２】
請求項２の発明は、請求項１に記載の端子収容蓋において、前記蓋本体部は鋼材で構成され、前記端子収容部を視認可能な窓部が設けられ、前記表示部は、前記窓部を開閉自在に配設されている、ことを特徴とする。
【００１３】
請求項３の発明は、請求項１に記載の端子収容蓋において、前記蓋本体部は、前記端子収容部を視認可能な透明に構成されている、ことを特徴とする。
【００１４】
請求項４の発明は、請求項１ないし３のいずれか１項に記載の端子収容蓋において、前記表示部は、前記電源側端子及び前記負荷側端子の位置に対応して２つの挿入部が設けられ、前記所定の非接地側電線が接続されている前記電源側端子または前記負荷側端子の位置に対応する前記２つの挿入部のいずれか１つに所定の色に着色された表示板が挿入される、ことを特徴とする。
【００１５】
請求項５の発明は、請求項１ないし３のいずれか１項に記載の端子収容蓋において、前記表示部は、前記電源側端子及び前記負荷側端子の位置に対応してスライド可能な表示物が配設され、前記所定の非接地側電線が接続されている前記電源側端子または前記負荷側端子の位置に対応してスライドされる、ことを特徴とする。
【００１６】
請求項６の発明は、請求項１ないし３のいずれか１項に記載の端子収容蓋において、前記蓋本体部は、前記端子収容部を覆うときの位置を上下反転可能に構成され、前記表示部は、前記電源側端子または前記負荷側端子のいずれか一方の方向を示すように固定され、前記蓋本体部を上下反転することにより、前記所定の非接地側電線が接続されている前記電源側端子または前記負荷側端子の位置を示す、ことを特徴とする。
【発明の効果】
【００１７】
請求項１の発明によれば、端子収容蓋には、蓋本体部の外側表面に表示部が配設され、検出制御装置に接続されている所定の非接地側電線が、電源側端子または負荷側端子のいずれかに接続されているかを表示するので、所定の非接地側電線の接続状態を地上から視認することができる。これにより、作業者が電柱に登る必要がなくなるので、業務効率を向上させると共に、安全性も向上させることが可能になる。また、単純な構成にて実現しているため、メンテナンスの必要性がなくなる。
【００１８】
請求項２の発明によれば、蓋本体部は鋼材で構成され、端子収容部を視認可能な窓部が設けられているので、非接地側電線の接続状態を再確認する必要がある場合、端子収容蓋を開けることなく確認することができる。また、既存の端子収容蓋を加工して使用することが可能である。さらに、表示部が窓部を開閉自在に配設されているため、常時開放している場合よりも紫外線等による電線の劣化を抑制することができる。
【００１９】
請求項３の発明によれば、蓋本体部が端子収容部を視認可能な透明に構成されているので、非接地側電線の接続状態を再確認する必要がある場合、端子収容蓋を開けることなく確認することができる。
【００２０】
請求項４の発明によれば、所定の非接地側電線が接続されている電源側端子または負荷側端子の位置に対応する２つの挿入部が設けられ、いずれか１つに所定の色に着色された表示板が挿入されるので、所定の非接地側電線の接続状態を地上から視認することが可能になる。
【００２１】
請求項５の発明によれば、所定の非接地側電線が接続されている電源側端子または負荷側端子の位置に対応してスライド可能な表示物が配設され、電源側端子または前記負荷側端子の位置に対応して表示物がスライドされるので、所定の非接地側電線の接続状態を地上から視認することが可能になる。
【００２２】
請求項６の発明によれば、蓋本体部が端子収容部を覆うときの位置を上下反転可能であり、表示部が電源側端子または負荷側端子のいずれか一方の方向を示すように固定され、蓋本体部を上下反転することにより所定の非接地側電線が接続されている位置を示すので、所定の非接地側電線の接続状態を地上から視認することが可能になる。
【図面の簡単な説明】
【００２３】
【図１】この発明の実施の形態１に係る端子収容蓋１の概略を示す斜視図である。
【図２】この発明の実施の形態２に係る端子収容蓋１Ａの概略を示す斜視図である。
【図３】この発明の実施の形態３に係る端子収容蓋１Ｂの概略を示す斜視図である。
【図４】この発明の実施の形態４に係る端子収容蓋１Ｃの概略を示す斜視図である。
【図５】従来例の両電源変圧器１００の例を示す斜視図である。
【発明を実施するための形態】
【００２４】
以下、この発明を図示の実施の形態に基づいて説明する。
【００２５】
（実施の形態１）
図１は、この発明の実施の形態１に係る端子収容蓋１を示す斜視図である。この端子収容蓋１は、図５に示す端子収容蓋１３０に代えて、両電源変圧器１００の端子収容部１１１を覆うための蓋であり、主として蓋本体部２と、表示部３とを備え、通常、端子収容部１１１を覆っている。
【００２６】
蓋本体部２は、円筒状に形成された図５の端子収容部１１１を覆うことが可能な大きさの円形の平板状に形成された端子収容蓋１の平板状部分であり、透明な強化ガラス等により構成されている。この蓋本体部２が透明に構成されているのは、端子収容部１１１の中における電源側端子１１３ａ及び負荷側端子１１３ｃと、赤色非接地側電線１１４ａ及び黒色非接地側電線１１４ｃとの接続状態を目視で確認する必要がある場合、視認することを可能にするためであるが、端子及び電線に日光が当たると劣化するおそれがあるので、蓋本体部２にはＵＶカット加工が施されている。この蓋本体部２には、ボルト留めにより端子収容部１１１を覆うためのボルト孔２１ａ，２１ｂ，２１ｃが蓋本体部２の円弧に沿って略等間隔に設けられている。
【００２７】
表示部３は、図５に示す、赤色に着色された赤色非接地側電線１１４ａが電源側端子１１３ａ、または負荷側端子１１３ｃのいずれかに接続されているかを表示するものであり、蓋本体部２が端子収容部１１１を覆うときの外側表面に配設されている。この表示部３は、主として、２つの挿入部３１ａ，３１ｂと、表示板３２とを備えている。
【００２８】
２つの挿入部３１ａ，３１ｂは、表示板３２を挿入可能な大きさ及び厚さに形成された略方形の薄いポケットであり、表示板３２が挿入されたときに地上から視認可能になるように、例えば透明のアクリル等の樹脂により形成されている。表示板３２は、例えば赤色に着色された略方形の平板状部材であり、周囲が暗い場合でも視認可能にするために、例えば反射板等により構成されている。
【００２９】
この表示部３は、表示板３２が図１の左側の挿入部３１ａに挿入されている場合、赤色非接地側電線１１４ａが左側の電源側端子１１３ａに接続されていることを示し、表示板３２が図１の右側の挿入部３１ｂに挿入されている場合、赤色非接地側電線１１４ａが右側の負荷側端子１１３ｃに接続されていることを示すものである。
【００３０】
次に、このような端子収容蓋１の使用方法及び作用について、以下に説明する。
【００３１】
図５の両電源変圧器１００を設置したとき、または配電線の系統変更があった場合、作業者は、両電源変圧器１００が設置されている電柱に登り、端子収容部１１１を覆う端子収容蓋１を開く。電源側端子１１３ａには、赤色非接地側電線１１４ａまたは黒色非接地側電線１１４ｃを接続する。接地端子１１３ｂには、白色に着色された接地側電線１１４ｂを接続する。負荷側端子１１３ｃには、電源側端子１１３ａに接続した電線の他方の電線を接続する。ここでは、電源側端子１１３ａに赤色非接地側電線１１４ａが接続され、負荷側端子１１３ｃに黒色非接地側電線１１４ｃが接続されたものとする。
【００３２】
この状態で、端子収容部１１１を覆うように蓋本体部２を取り付け、ボルト孔２１ａ，２１ｂ，２１ｃにボルトを通し、端子収容部１１１側のボルト穴と螺合させる。そして、挿入部３１ａに表示板３２を挿入する。また、挿入部３１ｂには何も挿入しない。この状態で、作業者は電柱から降りる。これにより、地上から表示板３２が挿入部３１ａに挿入されていることを視認できるので、電源側端子１１３ａに赤色非接地側電線１１４ａが接続されていることを確認することができる。
【００３３】
また、電源側端子１１３ａに黒色非接地側電線１１４ｃが接続され、負荷側端子１１３ｃに赤色非接地側電線１１４ａが接続されている場合、挿入部３１ｂに表示板３２を挿入し、挿入部３１ａには何も挿入しない。これにより、地上から表示板３２が挿入部３１ｂに挿入されていることを視認できるので、電源側端子１１３ａに黒色非接地側電線１１４ｃが接続されていることを確認することができる。
【００３４】
このように、この端子収容蓋１によれば、蓋本体部２が端子収容部１１１を覆うときの外側表面に表示部３が配設され、電源側端子１１３ａに赤色非接地側電線１１４ａが接続され、負荷側端子１１３ｃに黒色非接地側電線１１４ｃが接続されている場合、表示板３２が挿入部３１ａに挿入されているため、地上から表示板３２が挿入部３１ａに挿入されていることを視認できるので、電源側端子１１３ａに赤色非接地側電線１１４ａが接続されていることを確認することができる。また、電源側端子１１３ａに黒色非接地側電線１１４ｃが接続され、負荷側端子１１３ｃに赤色非接地側電線１１４ａが接続されている場合、挿入部３１ｂに表示板３２が挿入されているため、地上から表示板３２が挿入部３１ｂに挿入されていることを視認できるので、電源側端子１１３ａに黒色非接地側電線１１４ｃが接続されていることを確認することができる。これにより、作業者が電柱に登る必要がなくなるので、業務効率が向上させると共に、安全性も向上させることが可能になる。また、表示部３は、単純な構成にて実現しているため、メンテナンスの必要性がない。
【００３５】
さらに、蓋本体部２が透明な強化ガラス等により構成されているので、赤色非接地側電線１１４ａ及び黒色非接地側電線１１４ｃの接続状態を再確認する必要がある場合、端子収容蓋１を開けることなく確認することができる。
【００３６】
（実施の形態２）
図２は、この発明の実施の形態２に係る端子収容蓋１Ａの概略を示す斜視図である。この端子収容蓋１Ａは、実施の形態１に係る端子収容蓋１と同様に、図５の両電源変圧器１００の端子収容部１１１を覆うための蓋であり、図１に示す表示部３に代えて、表示部３Ａを備えている。その他の構成については、実施の形態１に係る端子収容蓋１と同様である。
【００３７】
表示部３Ａは、図５の赤色非接地側電線１１４ａが電源側端子１１３ａ、または負荷側端子１１３ｃのいずれかに接続されているかを表示する点において、実施の形態１に係る表示部３と同様であるが、表示物３２Ａと、ガイド部３３とを備えている。表示物３２Ａは、実施の形態１に係る表示板３２と同様に、例えば赤色に着色された略方形の平板状部材であり、周囲が暗い場合でも視認可能にするために、例えば反射板等により構成されている。ガイド部３３は、表示物３２Ａを左右にスライド可能にするための部材であり、例えばレールにて構成されている。
【００３８】
この表示部３Ａは、表示物３２Ａが図２の左側に位置している場合、赤色非接地側電線１１４ａが左側の電源側端子１１３ａに接続されていることを示し、表示板３２がスライドされて図１の右側に位置している場合、赤色非接地側電線１１４ａが右側の負荷側端子１１３ｃに接続されていることを示すものである。
【００３９】
次に、このような端子収容蓋１Ａの使用方法及び作用について、以下に説明する。
【００４０】
実施の形態１に係る端子収容蓋１の場合と同様に、図５の電源側端子１１３ａに赤色非接地側電線１１４ａが接続され、負荷側端子１１３ｃに黒色非接地側電線１１４ｃが接続されたものとする。この状態で、端子収容部１１１を覆うように蓋本体部２を取り付け、ボルト孔２１ａ，２１ｂ，２１ｃにボルトを通し、端子収容部１１１側のボルト穴と螺合させる。そして、表示物３２Ａをスライドして図２の左側に移動する。これにより、地上から表示物３２Ａが左側に位置していることを視認できるので、電源側端子１１３ａに赤色非接地側電線１１４ａが接続されていることを確認することができる。
【００４１】
また、電源側端子１１３ａに黒色非接地側電線１１４ｃが接続され、負荷側端子１１３ｃに赤色非接地側電線１１４ａが接続されている場合、表示物３２Ａをスライドして図２の右側に移動する。これにより、地上から表示物３２Ａが右側に位置していることを視認できるので、電源側端子１１３ａに黒色非接地側電線１１４ｃが接続されていることを確認することができる。
【００４２】
このように、この端子収容蓋１Ａによれば、蓋本体部２が端子収容部１１１を覆うときの外側表面に表示部３Ａが配設され、電源側端子１１３ａに赤色非接地側電線１１４ａが接続され、負荷側端子１１３ｃに黒色非接地側電線１１４ｃが接続されている場合、表示物３２Ａが左側に移動されるため、地上から表示物３２Ａが左側に位置していることを視認できるので、電源側端子１１３ａに赤色非接地側電線１１４ａが接続されていることを確認することができる。また、電源側端子１１３ａに黒色非接地側電線１１４ｃが接続され、負荷側端子１１３ｃに赤色非接地側電線１１４ａが接続されている場合、表示物３２Ａが右側に移動されるため、地上から表示物３２Ａが右側に位置していることを視認できるので、電源側端子１１３ａに黒色非接地側電線１１４ｃが接続されていることを確認することができる。これにより、作業者が電柱に登る必要がなくなるので、業務効率が向上させると共に、安全性も向上させることが可能になる。
【００４３】
（実施の形態３）
図３は、この発明の実施の形態３に係る端子収容蓋１Ｂの概略を示す斜視図である。この端子収容蓋１Ｂは、実施の形態１に係る端子収容蓋１と同様に、図５の両電源変圧器１００の端子収容部１１１を覆うための蓋であり、図１に示す蓋本体部２に代えて、蓋本体部２Ｂを備え、表示部３に代えて、表示部３Ｂを備えている。その他の構成については、実施の形態１に係る端子収容蓋１と同様である。
【００４４】
蓋本体部２Ｂは、図５の端子収容部１１１を覆うことが可能な大きさの円形の平板状に透明に形成された端子収容蓋１の平板状部分である点において、実施の形態１に係る蓋本体部２と同様であるが、端子収容部１１１を覆うためのボルト孔２１ａ，２１ｂ，２１ｃに加えて、ボルト孔２１ｄ，２１ｅ，２１ｆを備えている。ボルト孔２１ｄ，２１ｅ，２１ｆは、蓋本体部２Ｂを上下反転させて両電源変圧器１００に取り付けられることを可能にするために設けられたものであり、蓋本体部２Ｂの中心を挟んでボルト孔２１ａ，２１ｂ，２１ｃのそれぞれ対向する位置に設けられている。
【００４５】
表示部３Ｂは、図５の赤色非接地側電線１１４ａが電源側端子１１３ａ、または負荷側端子１１３ｃのいずれかに接続されているかを表示する点において、実施の形態１に係る表示部３と同様であるが、表示板３２Ｂを備えている。表示板３２Ｂは、例えば赤色に着色された略三角形の平板状部材であり、図３に示すように左方向に頂点３２１Ｂが向けられるように蓋本体部２に固定して設けられている。この表示板３２Ｂは、周囲が暗い場合でも視認可能にするために、例えば反射板等により構成されている。
【００４６】
この表示部３Ｂは、表示板３２Ｂの頂点３２１Ｂが図３のように左方向を指している場合、赤色非接地側電線１１４ａが左側の電源側端子１１３ａに接続されていることを示し、蓋本体部２Ｂが上下反転されて両電源変圧器１００に取り付けられ、表示板３２Ｂの頂点３２１Ｂが右方向を指している場合、赤色非接地側電線１１４ａが右側の負荷側端子１１３ｃに接続されていることを示すものである。そして、頂点３２１Ｂが右方向を指すことが可能になるように、ボルト孔２１ｄ，２１ｅ，２１ｆが設けられている。
【００４７】
なお、ボルト孔２１ａ，２１ｂ，２１ｃが蓋本体部２の円弧に沿って略等間隔に設けられているため、この発明の実施の形態３ではボルト孔２１ｄ，２１ｅ，２１ｆを設けたが、ボルト孔が蓋本体部２の円弧に沿って略等間隔に偶数箇所（例えば４箇所）設けられている場合には、新たなボルト孔を設ける必要はない。
【００４８】
次に、このような端子収容蓋１Ｂの使用方法及び作用について、以下に説明する。
【００４９】
実施の形態１に係る端子収容蓋１の場合と同様に、図５の電源側端子１１３ａに赤色非接地側電線１１４ａが接続され、負荷側端子１１３ｃに黒色非接地側電線１１４ｃが接続されたものとする。この状態で、端子収容部１１１を覆うように、また、表示板３２Ｂの頂点３２１Ｂが左方向を指すように蓋本体部２Ｂを取り付け、ボルト孔２１ａ，２１ｂ，２１ｃにボルトを通し、端子収容部１１１側のボルト穴と螺合させる。これにより、地上から頂点３２１Ｂが左方向を指していることを視認できるので、電源側端子１１３ａに赤色非接地側電線１１４ａが接続されていることを確認することができる。
【００５０】
また、電源側端子１１３ａに黒色非接地側電線１１４ｃが接続され、負荷側端子１１３ｃに赤色非接地側電線１１４ａが接続されている場合、蓋本体部２Ｂを上下反転して両電源変圧器１００に取り付け、ボルト孔２１ｄ，２１ｅ，２１ｆにボルトを通し、端子収容部１１１側のボルト穴と螺合させて、表示板３２Ｂの頂点３２１Ｂが右方向を指すようにする。これにより、地上から頂点３２１Ｂが右方向を指していることを視認できるので、電源側端子１１３ａに黒色非接地側電線１１４ｃが接続されていることを確認することができる。
【００５１】
このように、この端子収容蓋１Ｂによれば、蓋本体部２Ｂが端子収容部１１１を覆うときの外側表面に表示部３Ｂが配設され、電源側端子１１３ａに赤色非接地側電線１１４ａが接続され、負荷側端子１１３ｃに黒色非接地側電線１１４ｃが接続されている場合、表示板３２Ｂの頂点３２１Ｂが左方向を指すため、地上から頂点３２１Ｂが左方向を指していることを視認できるので、電源側端子１１３ａに赤色非接地側電線１１４ａが接続されていることを確認することができる。また、電源側端子１１３ａに黒色非接地側電線１１４ｃが接続され、負荷側端子１１３ｃに赤色非接地側電線１１４ａが接続されている場合、蓋本体部２が上下反転して両電源変圧器１００に取り付けられ、表示板３２Ｂの頂点３２１Ｂが右方向を指すため、地上から頂点３２１Ｂが右方向を指していることを視認できるので、電源側端子１１３ａに黒色非接地側電線１１４ｃが接続されていることを確認することができる。これにより、作業者が電柱に登る必要がなくなるので、業務効率が向上させると共に、安全性も向上させることが可能になる。
【００５２】
（実施の形態４）
図４は、この発明の実施の形態４に係る端子収容蓋１Ｃの概略を示す斜視図である。この端子収容蓋１Ｃは、実施の形態１に係る端子収容蓋１と同様に、図５の両電源変圧器１００の端子収容部１１１を覆うための蓋であり、図１に示す蓋本体部２に代えて、蓋本体部２Ｃを備え、表示部３に代えて、実施の形態３に係る表示部３Ｂと同様の形状である表示部３Ｃを備えている。その他の構成については、実施の形態１に係る端子収容蓋１と同様である。
【００５３】
蓋本体部２Ｃは、図５の端子収容部１１１を覆うことが可能な大きさの円形の平板状に形成された端子収容蓋１の平板状部分である点において、実施の形態１に係る蓋本体部２と同様であるが、実施の形態３と同様のボルト孔２１ｄ，２１ｅ，２１ｆを備え、窓部２２と、スイッチ２３とを備え、鋼材により形成されている。窓部２２は、電源側端子１１３ａ及び負荷側端子１１３ｃと、赤色非接地側電線１１４ａ及び黒色非接地側電線１１４ｃとの接続状態を目視で確認するために、例えば円形に設けられた窓である。この窓部２２は、透明な強化ガラス等により構成されている。スイッチ２３は、後述するように、表示部３Ｃを矢印Ａ方向にスライドさせるためのボタンである。
【００５４】
表示部３Ｃは、図５の赤色非接地側電線１１４ａが電源側端子１１３ａ、または負荷側端子１１３ｃのいずれかに接続されているかを表示する点において、実施の形態１に係る表示部３と同様であり、実施の形態３に係る表示部３Ｂと同様の形状であり、表示板３２Ｂ及び頂点３２１Ｂと同様の表示板３２Ｃ及び頂点３２１Ｃを備えているが、矢印Ａ方向にスライド可能に構成され、蓋本体部２Ｃの裏側には、表示部３Ｃをスライド可能にするためのスライド機構が設けられている。この表示部３Ｃは、通常は図４の右側の窓部２２を覆う位置に配置されており、スイッチ２３が押下されると、スライド機構により矢印Ａの左方向へ移動するように構成されている。また、矢印Ａの左方向へ移動された状態から右方向へ戻す場合は、例えば、表示部３Ｃを右方向に引くことで戻るように構成されている。
【００５５】
これらの構成は、蓋本体部２Ｃが鋼材により形成されている場合、各端子の接続状態を目視で確認するために窓部２２を設けたが、窓部２２が常に露出していると破損や汚損のおそれがあるため、各端子の接続状態を目視で確認する場合にのみ窓部２２を視認できるようにするため、表示部３Ｃをスライド可能に構成したものである。すなわち、表示部３Ｃは、窓部２２を開閉自在に構成されている。
【００５６】
表示部３Ｃは、表示板３２Ｃの頂点３２１Ｃが図４のように左方向を指している場合、赤色非接地側電線１１４ａが左側の電源側端子１１３ａに接続されていることを示し、蓋本体部２Ｃが上下反転されて両電源変圧器１００に取り付けられ、表示板３２Ｃの頂点３２１Ｃが右方向を指している場合、赤色非接地側電線１１４ａが右側の負荷側端子１１３ｃに接続されていることを示すものである。
【００５７】
次に、このような端子収容蓋１Ｃの使用方法及び作用について、以下に説明する。
【００５８】
実施の形態１に係る端子収容蓋１の場合と同様に、図５の電源側端子１１３ａに赤色非接地側電線１１４ａが接続され、負荷側端子１１３ｃに黒色非接地側電線１１４ｃが接続されたものとする。この状態で、端子収容部１１１を覆うように、また、表示板３２Ｃの頂点３２１Ｃが左方向を指すように蓋本体部２Ｃを取り付け、ボルト孔２１ａ，２１ｂ，２１ｃにボルトを通し、端子収容部１１１側のボルト穴と螺合させる。これにより、地上から頂点３２１Ｂが左方向を指していることを視認できるので、電源側端子１１３ａに赤色非接地側電線１１４ａが接続されていることを確認することができる。
【００５９】
また、電源側端子１１３ａに黒色非接地側電線１１４ｃが接続され、負荷側端子１１３ｃに赤色非接地側電線１１４ａが接続されている場合、蓋本体部２Ｃを上下反転して両電源変圧器１００に取り付け、表示板３２Ｃの頂点３２１Ｃが右方向を指すようにする。これにより、地上から頂点３２１Ｃが右方向を指していることを視認できるので、電源側端子１１３ａに黒色非接地側電線１１４ｃが接続されていることを確認することができる。
【００６０】
このように、この端子収容蓋１Ｃによれば、蓋本体部２Ｃが端子収容部１１１を覆うときの外側表面に表示部３Ｃが配設され、電源側端子１１３ａに赤色非接地側電線１１４ａが接続され、負荷側端子１１３ｃに黒色非接地側電線１１４ｃが接続されている場合、表示板３２Ｃの頂点３２１Ｃが左方向を指すため、地上から頂点３２１Ｃが左方向を指していることを視認できるので、電源側端子１１３ａに赤色非接地側電線１１４ａが接続されていることを確認することができる。また、電源側端子１１３ａに黒色非接地側電線１１４ｃが接続され、負荷側端子１１３ｃに赤色非接地側電線１１４ａが接続されている場合、表示板３２Ｃの頂点３２１Ｃが右方向を指すため、地上から頂点３２１Ｃが右方向を指していることを視認できるので、電源側端子１１３ａに黒色非接地側電線１１４ｃが接続されていることを確認することができる。これにより、作業者が電柱に登る必要がなくなるので、業務効率が向上させると共に、安全性も向上させることが可能になる。
【００６１】
また、蓋本体部２Ｃを鋼材により構成し、各端子の接続状態を目視で確認するための窓部２２を設けたので、既存の端子収容蓋を加工して使用することが可能である。さらに、表示部３Ｃが窓部２２を開閉自在であるため、常に開放している場合よりも電線等の劣化を抑制することができる。
【００６２】
以上、この発明の実施の形態について説明したが、具体的な構成は、上記の実施の形態に限られるものではなく、この発明の要旨を逸脱しない範囲の設計の変更等があっても、この発明に含まれる。例えば、上述した実施の形態１では、２つの挿入部３１ａ，３１ｂのうちの一方に表示板３２を挿入し、他方には何も挿入しない構成としたが、他方には黒色に着色した表示板を挿入するようにしても良い。これにより、表示板の位置をより明確に視認することが可能になる。
【００６３】
また、実施の形態２では、表示物３２Ａを略方形の平板状部材により構成したが、突起物を設ける構成にしても良い。これにより、視認性が向上すると共に、表示物３２Ａを容易にスライドすることが可能になり、例えば間接活性工具でもスライドさせることが可能になる。
【符号の説明】
【００６４】
１，１Ａ，１Ｂ，１Ｃ                              端子収容蓋
２，２Ｂ，２Ｃ                                    蓋本体部
３，３Ａ，３Ｂ，３Ｃ                              表示部
２１ａ，２１ｂ，２１ｃ，２１ｄ，２１ｅ，２１ｆ    ボルト孔
２２                                              窓部
２３                                              スイッチ
３１ａ，３１ｂ                                    挿入部
３２，３２Ｂ，３２Ｃ                              表示板
３２１Ｂ，３２１Ｃ                                頂点
３２Ａ                                            表示物
３３                                              ガイド部
１００                                            両電源変圧器
１１０                                            筐体
１１１                                            端子収容部
１１２                                            端子固定具
１１３ａ                                          電源側端子
１１３ｂ                                          接地端子
１１３ｃ                                          負荷側端子
１１４ａ                                          赤色非接地側電線
１１４ｂ                                          接地側電線
１１４ｃ                                          黒色非接地側電線
１１５                                            ハーネス
１２０                                            筐体蓋
１２１                                            筐体蓋固定具
１３０                                            端子収容蓋
１３１ａ，１３１ｂ，１３１ｃ                      ボルト孔
【図１】
2018179867.tif 000003
【図２】
2018179867.tif 000004
【図３】
2018179867.tif 000005
【図４】
2018179867.tif 000006
【図５】
2018179867.tif 000007